(57)【要約】【課題】  リストの視認性を向上することができるリスト管理プログラムおよび電子機器を提供する。【解決手段】  リスト管理プログラムは、複数のアドレス名と、アドレス名同士の順番を示すアドレスナンバーとを含み、少なくとも一部がアドレスナンバー通りに表示部に表示されるリストとしてのアドレス帳を管理するリスト管理手段、および、指示を受け付ける指示受付手段として、ＭＦＰを機能させ、指示受付手段は、リスト管理手段によってアドレスナンバーが連続させられる複数のアドレス名に共通する先頭の文字列の指示を受け付け（Ｓ１０３）、リスト管理手段は、指示受付手段によって受け付けられた指示に応じた文字列から始まるアドレス名のアドレスナンバーを連続させる（Ｓ１０４）ことを特徴とする。【選択図】  図５
2017017463.tif 000002
【特許請求の範囲】
【請求項１】
複数のデータと、
前記データ同士の順番とを含み、少なくとも一部が前記順番通りに表示デバイスに表示されるリストを管理するリスト管理手段、および、
指示を受け付ける指示受付手段として、
電子機器を機能させ、
前記指示受付手段は、前記リスト管理手段によって前記順番が連続させられる複数の前記データに共通する先頭の文字列の指示を受け付け、
前記リスト管理手段は、前記指示受付手段によって受け付けられた指示に応じた前記文字列から始まる前記データの前記順番を連続させることを特徴とするリスト管理プログラム。
【請求項２】
前記リスト管理手段は、前記文字列から始まる前記データの前記順番を連続させる場合に、前記順番を連続させる前記データを特定の条件でソートして前記順番を設定することを特徴とする請求項１に記載のリスト管理プログラム。
【請求項３】
前記指示受付手段は、前記リスト管理手段によって前記順番が連続させられる複数の前記データの先頭の前記順番の指示を受け付け、
前記リスト管理手段は、前記文字列から始まる前記データの前記順番を連続させる場合に、前記順番を連続させる前記データの前記順番を、前記指示受付手段によって受け付けられた指示に応じた前記先頭の順番から設定することを特徴とする請求項１または請求項２に記載のリスト管理プログラム。
【請求項４】
複数のデータと、
前記データ同士の順番とを含み、少なくとも一部が前記順番通りに表示デバイスに表示されるリストを管理するリスト管理手段と、
指示を受け付ける指示受付手段とを備え、
前記指示受付手段は、前記リスト管理手段によって前記順番が連続させられる複数の前記データに共通する先頭の文字列の指示を受け付け、
前記リスト管理手段は、前記指示受付手段によって受け付けられた指示に応じた前記文字列から始まる前記データの前記順番を連続させることを特徴とする電子機器。
【発明の詳細な説明】
【技術分野】
【０００１】
本発明は、複数のデータと、データ同士の順番とを含むリストを管理するリスト管理プログラムおよび電子機器に関する。
【背景技術】
【０００２】
従来、複数のデータとして複数のアドレス名を含むリストとしてのアドレス帳に対して、アドレス名を五十音順でソートする電子機器が知られている（例えば、特許文献１参照。）。
【先行技術文献】
【特許文献】
【０００３】
【特許文献１】特開平１０−１６１９５７号公報
【発明の概要】
【発明が解決しようとする課題】
【０００４】
しかしながら、従来の電子機器は、アドレス帳内のアドレス名を五十音順でソートした場合、順番が先頭側や末尾側になるアドレス名に利用者が着目しているときにはアドレス帳の視認性が向上するものの、順番が先頭側および末尾側の何れでもなくなるアドレス名に利用者が着目しているときにはアドレス帳の視認性が向上しないという問題がある。
【０００５】
そこで、本発明は、リストの視認性を向上することができるリスト管理プログラムおよび電子機器を提供することを目的とする。
【課題を解決するための手段】
【０００６】
本発明のリスト管理プログラムは、複数のデータと、前記データ同士の順番とを含み、少なくとも一部が前記順番通りに表示デバイスに表示されるリストを管理するリスト管理手段、および、指示を受け付ける指示受付手段として、電子機器を機能させ、前記指示受付手段は、前記リスト管理手段によって前記順番が連続させられる複数の前記データに共通する先頭の文字列の指示を受け付け、前記リスト管理手段は、前記指示受付手段によって受け付けられた指示に応じた前記文字列から始まる前記データの前記順番を連続させることを特徴とする。
【０００７】
この構成により、本発明のリスト管理プログラムは、利用者によって指示された文字列から始まるデータの順番を連続させるので、利用者が着目しているデータの利用者による確認を容易化することができる。したがって、本発明のリスト管理プログラムは、リストの視認性を向上することができる。
【０００８】
また、本発明のリスト管理プログラムにおいて、前記リスト管理手段は、前記文字列から始まる前記データの前記順番を連続させる場合に、前記順番を連続させる前記データを特定の条件でソートして前記順番を設定しても良い。
【０００９】
この構成により、本発明のリスト管理プログラムは、利用者によって指示された文字列から始まるデータの順番を連続させる場合に、順番を連続させるデータを特定の条件でソートして順番を設定するので、利用者が着目しているデータの利用者による確認を容易化することができる。
【００１０】
また、本発明のリスト管理プログラムにおいて、前記指示受付手段は、前記リスト管理手段によって前記順番が連続させられる複数の前記データの先頭の前記順番の指示を受け付け、前記リスト管理手段は、前記文字列から始まる前記データの前記順番を連続させる場合に、前記順番を連続させる前記データの前記順番を、前記指示受付手段によって受け付けられた指示に応じた前記先頭の順番から設定しても良い。
【００１１】
この構成により、本発明のリスト管理プログラムは、利用者によって指示された文字列から始まるデータの順番を連続させる場合に、順番を連続させるデータの順番を、利用者によって指示された順番から設定するので、利用者が着目しているデータの利用者による確認を容易化することができる。
【００１２】
本発明の電子機器は、複数のデータと、前記データ同士の順番とを含み、少なくとも一部が前記順番通りに表示デバイスに表示されるリストを管理するリスト管理手段と、指示を受け付ける指示受付手段とを備え、前記指示受付手段は、前記リスト管理手段によって前記順番が連続させられる複数の前記データに共通する先頭の文字列の指示を受け付け、前記リスト管理手段は、前記指示受付手段によって受け付けられた指示に応じた前記文字列から始まる前記データの前記順番を連続させることを特徴とする。
【００１３】
この構成により、本発明の電子機器は、利用者によって指示された文字列から始まるデータの順番を連続させるので、利用者が着目しているデータの利用者による確認を容易化することができる。したがって、本発明の電子機器は、リストの視認性を向上することができる。
【発明の効果】
【００１４】
本発明のリスト管理プログラムおよび電子機器は、リストの視認性を向上することができる。
【図面の簡単な説明】
【００１５】
【図１】本発明の一実施の形態に係る画像形成システムのブロック図である。
【図２】図１に示すＭＦＰのブロック図である。
【図３】図２に示すアドレス帳の一例を示す図である。
【図４】図１に示すコンピューターのブロック図である。
【図５】アドレスナンバーを再登録する場合の図２に示すＭＦＰの動作のフローチャートである。
【図６】図４に示す表示部に表示されるナンバー再登録用画面を示す図である。
【図７】アドレスナンバーが再登録された場合の図３に示すアドレス帳の一例を示す図である。
【発明を実施するための形態】
【００１６】
以下、本発明の一実施の形態について、図面を用いて説明する。
【００１７】
まず、本実施の形態に係る画像形成システムの構成について説明する。
【００１８】
図１は、本実施の形態に係る画像形成システム１０のブロック図である。
【００１９】
図１に示すように、画像形成システム１０は、電子機器としてのＭＦＰ（Ｍｕｌｔｉｆｕｎｃｔｉｏｎ  Ｐｅｒｉｐｈｅｒａｌ）２０と、ＰＣ（Ｐｅｒｓｏｎａｌ  Ｃｏｍｐｕｔｅｒ）、スマートフォンなどのコンピューター３０とを備えている。ＭＦＰ２０と、コンピューター３０とは、ＬＡＮ（Ｌｏｃａｌ  Ａｒｅａ  Ｎｅｔｗｏｒｋ）、インターネットなどのネットワーク１１を介して通信可能である。
【００２０】
図２は、ＭＦＰ２０のブロック図である。
【００２１】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２２】
記憶部２７は、例えばＨＴＭＬ（ＨｙｐｅｒＴｅｘｔ  Ｍａｒｋｕｐ  Ｌａｎｇｕａｇｅ）などのマークアップ言語によって記述されるウェブページを提供するプログラムであるウェブサーバー２７ａと、リストとしての後述のアドレス帳２７ｃを管理するリスト管理プログラム２７ｂとを記憶している。ウェブサーバー２７ａおよびリスト管理プログラム２７ｂは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ２０に追加でインストールされても良いし、ネットワーク１１上からＭＦＰ２０に追加でインストールされても良い。
【００２３】
記憶部２７は、リストとしてのアドレス帳２７ｃを記憶している。
【００２４】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２５】
制御部２８は、記憶部２７に記憶されているリスト管理プログラム２７ｂを実行することによって、アドレス帳２７ｃを管理するリスト管理手段２８ａ、および、指示を受け付ける指示受付手段２８ｂとして機能する。
【００２６】
図３は、アドレス帳２７ｃの一例を示す図である。
【００２７】
図３に示すように、アドレス帳２７ｃには、電子メールアドレス、フォルダーのパスなどのアドレスと、アドレスを識別するためのデータとしてのアドレス名とを含む複数の種類の情報が互いに関連付けられて含まれている。また、アドレス帳２７ｃには、アドレス名同士の順番としてのアドレスナンバーが含まれている。
【００２８】
例えば、図３に示すアドレス帳２７ｃにおけるアドレスナンバー「００１」に対応する情報は、アドレス名が「あああ」であり、アドレスが「／／○○／○○／○○」というフォルダーのパスである。また、図３に示すアドレス帳２７ｃにおけるアドレスナンバー「００２」に対応する情報は、アドレス名が「いいい」であり、アドレスが「○○○＠○○○．○○」という電子メールアドレスである。
【００２９】
図４は、コンピューター３０のブロック図である。
【００３０】
図４に示すように、コンピューター３０は、種々の操作が入力されるボタンなどの入力デバイスである操作部３１と、種々の情報を表示するＬＣＤなどの表示デバイスである表示部３２と、プログラムおよび各種のデータを記憶しているＨＤＤなどの不揮発性の記憶デバイスである記憶部３３と、コンピューター３０全体を制御する制御部３４とを備えている。
【００３１】
記憶部３３は、ウェブページを表示部３２に表示させるプログラムであるウェブブラウザー３３ａを記憶している。ウェブブラウザー３３ａは、コンピューター３０の製造段階でコンピューター３０にインストールされていても良いし、ＳＤカード、ＵＳＢメモリーなどの外部記憶媒体からコンピューター３０に追加でインストールされても良いし、ネットワーク１１上からコンピューター３０に追加でインストールされても良い。
【００３２】
制御部３４は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３３に記憶されているプログラムを実行する。
【００３３】
次に、画像形成システム１０の動作について説明する。
【００３４】
ＭＦＰ２０のアドレス帳２７ｃに関する各種の情報は、ＭＦＰ２０のウェブサーバー２７ａによってウェブページの少なくとも一部として提供され、ウェブサーバー２７ａによって提供されるウェブページがコンピューター３０のウェブブラウザー３３ａによってコンピューター３０の表示部３２に表示されることによって、ＭＦＰ２０からコンピューター３０の表示部３２に表示されることが可能である。同様に、ＭＦＰ２０のアドレス帳２７ｃに関する各種の操作は、ＭＦＰ２０のウェブサーバー２７ａが提供するウェブページに対して、コンピューター３０のウェブブラウザー３３ａを介してコンピューター３０の操作部３１から入力されることによって、コンピューター３０の操作部３１からＭＦＰ２０に入力されることが可能である。
【００３５】
なお、アドレス帳２７ｃは、少なくとも一部がコンピューター３０の表示部３２に表示される。ここで、アドレス帳２７ｃは、アドレスナンバー通り、すなわち、アドレスナンバーで示される順番通りにコンピューター３０の表示部３２に表示される。
【００３６】
図５は、アドレスナンバーを再登録する場合のＭＦＰ２０の動作のフローチャートである。
【００３７】
利用者は、コンピューター３０の表示部３２にアドレス帳２７ｃの少なくとも一部が表示されている場合に、アドレス帳２７ｃにおけるアドレスナンバーの再登録をコンピューター３０の操作部３１を介してＭＦＰ２０に指示することができる。ＭＦＰ２０の制御部２８は、利用者からの指示を受けて図５に示す動作を実行する。
【００３８】
図５に示すように、ＭＦＰ２０の指示受付手段２８ｂは、アドレスナンバーを再登録するためのナンバー再登録用画面４０（図６参照。）のウェブページをウェブサーバー２７ａに提供させる（Ｓ１０１）。したがって、コンピューター３０の表示部３２には、ナンバー再登録用画面４０が表示される。利用者は、コンピューター３０の操作部３１を介してナンバー再登録用画面４０を操作することが可能である。
【００３９】
図６は、ナンバー再登録用画面４０を示す図である。
【００４０】
図６に示すナンバー再登録用画面４０は、利用者がアドレスナンバーの再登録を希望する複数のアドレス名に共通する先頭の文字列としての登録キーワードの指示を受け付けるためのテキストボックス４１と、利用者がアドレスナンバーの再登録を希望する複数のアドレス名の先頭のアドレスナンバーとしての開始ナンバーの指示を受け付けるためのテキストボックス４２と、アドレスナンバーの再登録の実行のための再登録ボタン４３と、図５に示す動作の終了のためのキャンセルボタン４４とを含んでいる。
【００４１】
図５に示すように、指示受付手段２８ｂは、Ｓ１０１の処理の後、再登録ボタン４３が押されたと判断すると（Ｓ１０２でＹＥＳ）、再登録ボタン４３が押された時点でテキストボックス４１、４２にそれぞれ入力されていた登録キーワード、開始ナンバーを受け付ける（Ｓ１０３）。
【００４２】
次いで、ＭＦＰ２０のリスト管理手段２８ａは、Ｓ１０３において受け付けられた登録キーワードおよび開始ナンバーに基づいてアドレスナンバーを再登録して（Ｓ１０４）、図５に示す動作を終了する。
【００４３】
例えば、アドレス帳２７ｃが図３に示すものであって、Ｓ１０３において受け付けられた登録キーワードおよび開始ナンバーがそれぞれ「あ」および「００２」である場合、リスト管理手段２８ａは、Ｓ１０４において図７に示すようにアドレス帳２７ｃを変更する。
【００４４】
図７に示すアドレス帳２７ｃは、Ｓ１０３において受け付けられた登録キーワード「あ」から始まるアドレス名「あああ」、「あいう」、「あお」、「あえあ」と、これらのアドレス名に関連付けられた各種の情報とが抽出され、Ｓ１０３において受け付けられた開始ナンバー「００２」のアドレスナンバーからアドレスナンバーを連続させて挿入されている。
【００４５】
なお、リスト管理手段２８ａは、登録キーワード「あ」から始まるアドレス名のアドレスナンバーを連続させる場合に、アドレスナンバーを連続させるアドレス名を五十音順でソートしてアドレスナンバーを設定している。したがって、登録キーワード「あ」から始まるアドレス名「あああ」、「あいう」、「あお」、「あえあ」は、登録キーワード「あ」の次の文字、すなわち、２文字目から五十音順でソートされて、「あああ」、「あいう」、「あえあ」、「あお」の順にアドレスナンバーが設定される。
【００４６】
図７に示すアドレス帳２７ｃにおいて、アドレスナンバー「００１」の行は、アドレスナンバーが「００１」であったアドレス名「あああ」と、このアドレス名に関連付けられた各種の情報とがアドレスナンバー「００２」に移動させられた結果、登録キーワード「あ」から始まるアドレス名以外でアドレスナンバーが最も先頭側であったアドレス名「いいい」と、このアドレス名に関連付けられた各種の情報とが設定させられている。
【００４７】
また、図７に示すアドレス帳２７ｃにおいて、アドレス名「おおお」、「ううう」と、これらのアドレス名に関連付けられた各種の情報とは、登録キーワード「あ」から始まるアドレス名がアドレスナンバー「００２」〜「００５」に割り込んだ結果、互いの順序を維持したまま、アドレスナンバー「００６」以降にシフトさせられている。
【００４８】
以上に説明したように、ＭＦＰ２０は、利用者によって指示された文字列から始まるアドレス名のアドレスナンバーを連続させるので、利用者が着目しているアドレス名の利用者による確認を容易化することができる。したがって、ＭＦＰ２０は、アドレス帳２７ｃの視認性を向上することができる。
【００４９】
ＭＦＰ２０は、利用者によって指示された文字列から始まるアドレス名のアドレスナンバーを連続させる（Ｓ１０４）場合に、アドレスナンバーを連続させるアドレス名を五十音順でソートしてアドレスナンバーを設定するので、利用者が着目しているアドレス名の利用者による確認を容易化することができる。
【００５０】
なお、ＭＦＰ２０は、利用者によって指示された文字列から始まるアドレス名のアドレスナンバーを連続させる場合に、アドレスナンバーを連続させるアドレス名を五十音順以外の特定の条件でソートしてアドレスナンバーを設定しても良いし、ソートせずに互いの順序を維持したままアドレスナンバーを設定しても良い。
【００５１】
ＭＦＰ２０は、利用者によって指示された文字列から始まるアドレス名のアドレスナンバーを連続させる場合に、アドレスナンバーを連続させるアドレス名のアドレスナンバーを、利用者によって指示されたアドレスナンバー、すなわち、開始ナンバーから設定するので、利用者が着目しているアドレス名の利用者による確認を容易化することができる。
【００５２】
ＭＦＰ２０は、本実施の形態において、アドレス帳２７ｃに対する指示がネットワーク１１を介してコンピューター３０の操作部３１から入力され、アドレス帳２７ｃの少なくとも一部をネットワーク１１を介してコンピューター３０の表示部３２に表示させる。しかしながら、ＭＦＰ２０は、アドレス帳２７ｃに対する指示がコンピューター３０の操作部３１からではなく、ＭＦＰ２０の操作部２１から入力されても良い。また、ＭＦＰ２０は、アドレス帳２７ｃの少なくとも一部をコンピューター３０の表示部３２にではなく、ＭＦＰ２０の表示部２２に表示させても良い。
【００５３】
ＭＦＰ２０は、本実施の形態において、リストとしてアドレス帳２７ｃを管理しているが、アドレス帳以外のリストを管理しても良い。例えば、ＭＦＰ２０は、複数のファイルを記憶可能な記憶部２７上の領域としてのボックスにおけるファイルの一覧情報をリストとして管理しても良い。
【００５４】
本発明の電子機器は、本実施の形態においてＭＦＰであるが、コピー専用機、プリンター専用機、ファクシミリ専用機、スキャナー専用機など、ＭＦＰ以外の画像形成装置であっても良いし、ＰＣなど、画像形成装置以外の電子機器であっても良い。
【符号の説明】
【００５５】
２０  ＭＦＰ（電子機器）
２２  表示部（表示デバイス）
２７ｂ  リスト管理プログラム
２７ｃ  アドレス帳（リスト）
２８ａ  リスト管理手段
２８ｂ  指示受付手段
３２  表示部（表示デバイス）
【図１】
2017017463.tif 000003
【図２】
2017017463.tif 000004
【図３】
2017017463.tif 000005
【図４】
2017017463.tif 000006
【図５】
2017017463.tif 000007
【図６】
2017017463.tif 000008
【図７】
2017017463.tif 000009